(57)【要約】【課題】  本発明は、組立が容易で、再度の使用が可能である衛生的な組立式便器を提供することを課題とする。【解決手段】  本発明にかかる組立式便器１は、汚物用袋Ｂを用いる組立式便器１であって、全周囲の側壁板６〜９が連なった帯状の側壁帯２と、側壁帯２に連結された板状の便座板３と、を備えている。そして、側壁帯２は、両端部６、９が連結して環状となり、汚物用袋Ｂが係脱可能に固定できるようにする。【選択図】図５
2008086430.tif 000002
【特許請求の範囲】
【請求項１】
汚物用袋を用いる組立式便器であって、
全周囲の側壁板が連なった帯状の側壁帯と、
該側壁帯に連結された板状の便座板と、を備え、
該側壁帯は、両端部が連結して環状となり、
該汚物用袋が係脱可能に固定される、組立式便器。
【請求項２】
該便座板は前方部分に切込部を有し、
該側壁帯のうち前方に位置する側壁板は、上方に伸延する突出部を有し、
該突出部は該切込部に挿入されて金隠しの役割を果たす、
請求項１に記載の組立式便器。
【請求項３】
側壁帯のうち左右及び後方に位置する側壁板が固定孔を有し、
該固定孔において、該汚物用袋が係脱可能に固定される、
請求項２に記載の組立式便器。
【請求項４】
該側壁帯及び該便座板が一枚の段ボールシートで構成される、
請求項１乃至３のうちいずれか一の項に記載の組立式便器。
【発明の詳細な説明】
【技術分野】
【０００１】
本発明は、簡易便器に関し、特に、組み立てが容易である組立式便器に関する。
【背景技術】
【０００２】
組み立てが容易である組立式便器として、引用文献１では、厚紙等からなる環状の外容器部と、外容器の内側に接合された袋状内容器とを備えたものが提案されている。この組立式便器は、使用前は平らに畳まれているが、使用時には前後部分を引張して広げることで外容器部が筒状となり、便器を組み立てることができる。このように、引用文献１に記載の組立式便器は、組み立てが非常に簡単なものである。ところが、引用文献１に記載の組立式便器は、いわゆる使い捨てを想定しており、何度も使用できる程度の強度は備えていない。また、便座を有しておらず、おまるを使用するような幼児には使用できないという問題点を有していた。
【０００３】
一方、引用文献２では、筒状体と、筒状体に乗せる便座と、底板と、排泄収納袋とを備えた組立式便器が提案されている。この組立式便器は、便座を備えているため、幼児が使用する場合であっても、安心して使用することができる。ところが、引用文献２に記載の組立式便器は、筒状体の構成に接着工程が必要であり、また、筒状体の形状を維持するには底板を必要とするため、この底板を組み込む作業も必要となる。さらに、引用文献２に記載の組立式便器は、排泄収納袋を何度も使用することを想定しているものの、取り付け方法が明確でなく、筒状体や便座が汚れる可能性が高いと考えられる。
【特許文献１】実用新案登録第３０７０１８１号公報
【特許文献２】実用新案登録第３０３２７６９号公報
【発明の開示】
【発明が解決しようとする課題】
【０００４】
このように、特許文献１に記載の組立式便器は便座を有しておらず、また、再使用ができるほどの強度を有していない。一方、特許文献２に記載の組立式便器は、組立が複雑で、衛生的にも問題がある。
【０００５】
そこで本発明は、組立が容易で、再度の使用が可能である衛生的な組立式便器を提供することを課題とする。
【課題を解決するための手段】
【０００６】
上記課題を解決するため、本願発明にかかる組立式便器は、汚物用袋を用いる組立式便器であって、全周囲の側壁板が連なった帯状の側壁帯と、該側壁帯に連結された板状の便座板と、を備え、該側壁帯は、両端部が連結して環状となり、該汚物用袋が係脱可能に固定される（請求項１）。
【０００７】
かかる構成によれば、全周囲の各側壁板と便座板が一体となっているため、これらの部分の接続作業が不要となり、また、全体の強度も向上する。さらに、汚物用袋が係脱可能に固定されるため、汚物用袋を頻繁に交換することができる。
【０００８】
また、上記組立式便器において、該便座板は前方部分に切込部を有し、該側壁帯のうち前方に位置する側壁板は、上方に伸延する突出部を有し、該突出部は該切込部に挿入されて金隠しの役割を果たすようにしてもよい（請求項２）。かかる構成によれば、突出部を切込み部に挿入することで、側壁帯と便座板とが前方部分で結合される。よって、側壁帯と便座板は、当初から連結している部分に加え、前方部分で結合されるため、組立式便器の強度をさらに向上させることができる。
【０００９】
また、上記組立式包便器において、該側壁帯のうち左右及び後方に位置する側壁板が固定孔を有し、該固定孔において、該汚物用袋が係脱可能に固定されるようにしてもよい（請求項３）。かかる構成によれば、汚物用袋を便器内に挿入して便座部分を覆うように固定することができる。よって、便座に排泄物が付着することもなく、衛生的である。
【００１０】
また、上記組立式便器において、該側壁帯及び該便座板が一枚の段ボールシートで構成されるようにしてもよい（請求項４）。かかる構成によれば、一枚のシートにすることで、シートの製造も容易になり、また、組立が容易になる。さらに、シートを段ボール製にすることで、必要な強度を備えつつ、材料コストを抑えることができる。
【発明の効果】
【００１１】
本願発明によれば、全周囲の各側壁板と便座板が一体となっているため、これらの部分の接続作業が不要となり、また、全体の強度も向上する。よって、組立が容易で、再度の使用が可能な組立式便器を提供することができる。
【００１２】
また、汚物用袋が係脱可能に固定されるため、汚物用袋を頻繁に交換することができる。よって、衛生的な組立式便器を提供することができる。
【発明を実施するための最良の形態】
【００１３】
本願発明にかかる組立式便器を実施するための最良の形態について、図１〜６を参照しつつ以下に説明する。
【００１４】
まず、本実施形態にかかる組立式便器１に使用する段ボールシート１Ａの構成について説明する。図１は、本実施形態にかかる段ボールシート１Ａの平面図である。図１に示すように、段ボールシート１Ａは、側壁帯２と、便座板３と、左便座フラップ４と、右便座フラップ５とを備えている。このうち、側壁帯２は、前側壁板６と、左側壁板７と、後側壁板８と、右側壁板９と、から構成されている。以下、各構成要素３〜９について説明する。
【００１５】
前側壁板６は、組立後において、便器の前方に位置する側壁板となる部分である。図１に示すように、前側壁板６は、側壁帯２の端部に位置しており、側壁部１０と、突出部１１と、係合部１２とから主に構成されている。側壁部１０は、前側壁板６のベースとなる部分であって、略長方形の形状を有している。また、側壁部１０は、係合部１２との境界付近において、底辺から中央付近まで伸延する切欠部１３を有している。突出部１１は、側壁部１０の上方に位置し、略部分楕円形の形状を有している。係合部１２は、前側壁板６の最も外側に位置しており、略長方形の形状を有している。また、係合部１２の上下幅は、側壁部１０の上下幅よりもわずかに小さくなっている。なお、側壁部１０と係合部１２との境界部分には罫線１４が施されている。さらに、突出部１１及び側壁部１０には、突出部１１の左右方向中央を通り上下に伸延する罫線１５が施されている。
【００１６】
左側壁板７は、組立後において、便器の左方に位置する側壁板となる部分である。図１に示すように、左側壁板７は、前側壁板６と後側壁板８との間に位置しており、その形状は長方形である。また、左側壁板７は、固定孔１６と、挿入孔１７とを有している。固定孔１６は、円形状であって、左側壁板７の中心よりもやや上方に位置している。挿入孔１７は、左右方向に伸延する長孔であって、左側壁板７の略中心に位置している。また、前側壁板７と左側壁板７との境界部分には、罫線１８が施されている。
【００１７】
後側壁板８は、組立後において、便器の後方に位置する側壁板となる部分である。図１に示すように、後側壁板８は、左側壁板７と右側壁板９との間に位置しており、その形状は長方形である。後側壁板８には、左側壁板７の固定孔１６と同じ径の固定孔１９が施されている。また、固定孔１９は、後側壁板８の左右方向中央で、左側壁板７の固定孔１６と同じ高さ位置に施されている。さらに、後側壁板８には、後側壁板８を三等分するように上下方向に伸延する罫線２０、２１が２本施されている。これに加え、底辺の中央から、左上方と右上方に向かってそれぞれ伸延する罫線２２、２３が施されている。また、後側壁板８と左側壁板７との境界部分には、罫線２４が施されている。
【００１８】
右側壁板９は、組立後において、便器の右方に位置する側壁板となる部分である。図１に示すように、右側壁板９は、側壁帯２の端部に位置しており、側壁部２５と、係合部２６とから主に構成されている。右側壁板９の側壁部２５は、後側壁板８と接する部分であって、長方形の形状を有している。また、側壁部２５は、固定孔２７と、挿入孔２８とを有している。固定孔２７は、円形状であって、右側壁板９の中心よりもやや上方に位置している。挿入孔２８は、左右方向に伸延する長孔であって、右側壁板９の略中心に位置している。なお、右側壁板９の固定孔２７と挿入孔２８は、左側壁板７の固定孔１６と挿入孔１７と同じ高さ位置にある。係合部２６は、側壁部２５よりも外側に位置しており、略長方形の形状を有している。また、係合部２６は、左右方向中央付近において、上辺から中央付近まで伸延する切欠部２９を有している。さらに、側壁部２５と係合部２６の境界部分には罫線３０が施されており、切欠部２９の下方にも罫線３１が施されている。また、右側壁板９と後側壁板８との境界部分にも罫線３２が施されている。
【００１９】
便座板３は、組立後において、便器の便座となる部分である。図１に示すように、便座板３は、側壁帯２と後側壁板８の上辺で連結されている。つまり、便座板３と後側壁板８とは連結されている。便座板３は、後側壁板８に接する後側辺３３、後側辺３３の左側に位置する左側辺３４、後側辺３３の右側に位置する右側辺３５、左側辺３４と上方で接する左前側辺３６、および右側辺３５と上方で接する右前側辺３７の５つの辺から成る略五角形の形状を有している。上記の５つの辺３３〜３７のうち、左側辺３４は、左側壁板７と後側壁板８の境界に施された罫線２４と同一直線上にあり、右側辺３５は、右側壁板９と後側壁板８の境界に施された罫線３２と同一直線上にある。また、便座板３は、開口部３８と、挿入部３９と、固定孔４０とを有している。便座板３の開口部３８は、便座板３の中央に位置しており、大きく切り抜かれた部分である。便座板３の挿入部３９は、便座板３の上方（前方）に位置しており、中央が略直角に折れ曲がった直線形状を有している。便座板３の固定孔４０は、挿入部３９の折れ曲がった部分の内側に位置し、挿入部３９と一体になっている。なお、便座板３と後側壁板８との境界部分には罫線４１が施されている。
【００２０】
左便座フラップ４は、便座板３を側壁帯２に固定する役割を有する。図１に示すように、左便座フラップ４は、便座板３の左側に位置しており、便座板３の左側辺３４と結合している。また、左便座フラップ４は、挿入片４２と、半円孔４３とを有している。挿入片４２は、左便座フラップ４の略中央に位置して上下方向に伸延しており、円弧部４２ａと、直線部４２ｂと、角部４２ｃとから主に構成されている。円弧部４２ａは、便座板３側に膨らんだ形状を有しており、切込線によって形成されている。直線部４２ｂは、便座板３の左側辺３４に平行に延びており、罫線によって形成されている。角部４２ｃは、円弧部４２ａと直線部４２ｂとの境界部分に位置して内側に窪んだ形状を有しており、切込線によって形成されている。半円孔４３は、挿入片４２よりも便座板３側に位置しており、半円状に切り抜かれている。
【００２１】
右便座フラップ５は、左便座フラップ４と同様、便座板３を側壁帯２に固定する役割を有する。図１に示すように、右便座フラップ５は、便座板３の右側に位置しており、便座板３の右側辺３５と結合している。また、右便座フラップ５は、挿入片４４と、半円孔４５とを有している。右便座フラップ５の挿入片４４は、右便座フラップ５の略中央に位置して上下方向に伸延しており、円弧部４４ａと、直線部４４ｂと、角部４４ｃとから主に構成されている。挿入片５の円弧部４４ａは便座板３側に膨らんでおり、切込線によって形成されている。挿入片４４の直線部４４ｂは便座板３の右側辺３５と平行に延びており、罫線によって形成されている。挿入片４４の角部４４ｃは、円弧部４４ａと直線部４４ｂとの境界部分に位置して内側に窪んだ形状を有しており、切込線によって形成されている。右便座フラップ５の半円孔４５は、挿入片４４よりも便座板３側に位置しており、半円状に切り抜かれている。
【００２２】
以上が段ボールシート１Ａの構成である。次に、組立式便器１の組立方法について説明する。図２〜６は、組立式便器１の組立工程を順に示した図である。
【００２３】
まず、図２に示すように、側壁帯２に施された各罫線に沿って側壁帯２を折曲げて、側壁帯２を筒状にする。なお、図２は、図１の側壁帯２を図中奥方向に折曲げていった図である。その後、右側壁板９の切欠部２９と前側壁板６の切欠部１３とを重ねて、右側壁板９と前側壁板６とを連結する。具体的には、右側壁板９の係合部２６の先端が前側壁板６の内側に位置するようにし、前側壁板６の係合部１２が右側壁板９の内側に位置するようにする。これにより、右側壁板９の係合部２６の先端と前側壁板６の係合部１２とが組立式便器１の内側に位置することとなり、つなぎ目の部分を目立たなくすることができる。また、両係合部２６、１２が外部と接触しにくくなるため、右側壁板９と前側壁板６との連結を外れにくくなる。
【００２４】
次に、図３に示すように、便座板３の挿入部３９に前側壁板６の突出部１１を挿入して、金隠しの部分を形成する。この際、前側壁板６の中央に施された罫線１５に沿って、前側壁板６を略直角に折込む。これにより、上方から見た突出部１１の形状と、便座板３の挿入部３９の形状とが略等しくなり、突出部１１を挿入部３９に挿入しやくなる。かかる工程により、便座板３は前方で前側壁板６と結合することになる。また、便座板３は後方において当初から後側壁板８と結合している。よって、便座板３は、前後において前側壁板６と後側壁板８とに結合することになるため、便座板３を側壁帯２にしっかりと固定することができる。
【００２５】
次に、図４に示すように、左便座フラップ４と右便座フラップ５とを下方に折込む。その際、左便座フラップ４の挿入片４２を内側に折曲げて左側壁板７の挿入孔１７に挿入し、右便座フラップ５の挿入片４４を内側に折曲げて右側壁板９の挿入孔２８に挿入する。これにより、便座板３は、左便座フラップ４および右便座フラップ５を介して側壁帯２に固定される。よって、便座板３は、前後方向のみならず、左右方向も側壁帯２に固定されるため、便座板３をより強固に側壁帯２に固定することができる。また、挿入片４２、４４を挿入孔１７、２８に挿入した後は、挿入片４２、４４の角部４２ｃ、４４ｃが挿入孔１７、２８に引っかかることにより、挿入片４２、４４が自然に抜けてしまうことはない。
【００２６】
以上で、組立式便器１が完成する。このように、本実施形態にかかる組立式便器１は、便座板３が四方向において側壁板２と固定される。よって、便座板３と側壁帯２とが強固に固定されるため、側壁の形状を維持することを目的とした底板等の部材を必要としない。さらに、本実施形態にかかる組立式便器１は、接着工程も必要ない。よって、組立式便器の組み立てを容易に行うことができる。さらに、本実施形態にかかる組立式便器１に使用する段ボールシート１Ａは、一枚の段ボールシートに切抜き加工と罫線加工を施すだけで、製造することができる。よって、組立式便器１に使用する段ボールシート１Ａの製造コストを削減することができる。以上が、組立式便器１の組立方法についての説明である。
【００２７】
次に、組立てられた組立式便器１の使用方法について説明する。具体的には、汚物用袋Ｂを組立式便器１に装着する。図５は、汚物用袋Ｂを組立式便器１に装着する前の図である。図５に示すように、図４の状態の組立式便器１に、広げると取出し口が便座板３の開口部３８よりやや大きくなる汚物用袋Ｂを装着する。汚物用袋Ｂの中は、高分子凝集シートＳ（図６参照）が入っている。この汚物用袋Ｂを、便座板３の開口部３８から組立式便器１の内部に入れてゆく。なお、汚物用袋Ｂは専用品を用いても良いが、本実施形態ではナイロン製のレジ袋を改良したものを使用する。汚物用袋Ｂを組立式便器１の内部に入れる際は、持ち手側が前後に位置するようにする。
【００２８】
図６は、汚物用袋Ｂを入れた後の図である。図６に示すように、汚物用袋Ｂを組立式便器１に入れた状態から、汚物用袋Ｂの取出し口の部分を便座板３の全体を覆うようにかぶせる。このとき、金隠しの部分に持ち手を引っ掛けて固定する。その後、四方の固定孔１６、１９、２７、４０に汚物用袋Ｂの一部を挿入し、汚物用袋Ｂを固定する。ここで、左側壁板７および右側壁板９は、左便座フラップ４又は右便座フラップ５で覆われているが、両フラップ４、５の開口している挿入片４２、４４が施されていた部分と半円孔４３、４５とが、固定孔１６、２７の部分に位置するため、固定孔１６、１７が左便座フラップ４又は右便座フラップ５で隠れることはない。
【００２９】
以上で、組立式便器１に汚物用袋Ｂが装着されるため、組立式便器１で用を足すことができる。上記のように、本実施形態にかかる組立式便器１は、四方向の固定孔１６、１９、２７、４０に汚物用袋Ｂの一部を挿入することで汚物用袋Ｂを容易に固定することができるため、汚物用袋Ｂを頻繁に交換することができる。また、汚物用袋Ｂは、便座板３を覆うようにして取り付けることができるため、便座板３に排泄物等が付着することはない。以上より、本実施形態にかかる組立式便器１によれば、組立式便器１を衛生的に使用することができる。
【００３０】
以上、本願発明にかかる組立式便器１を実施するための最良の形態について、図を参照しつつ説明した。
【産業上の利用可能性】
【００３１】
本発明によれば、組立が容易で、再度の使用が可能である衛生的な組立式便器を提供することができる。よって、組立式便器の技術分野において有益である。
【図面の簡単な説明】
【００３２】
【図１】本発明の一実施形態たる組立式便器に使用する段ボールシートの平面図である。
【図２】本発明の一実施形態たる組立式便器の組立工程を示した図である。
【図３】本発明の一実施形態たる組立式便器の組立工程を示した図である。
【図４】本発明の一実施形態たる組立式便器の組立工程を示した図である。
【図５】本発明の一実施形態たる組立式便器に汚物用袋を入れる前の図である。
【図６】本発明の一実施形態たる組立式便器に汚物用袋を入れた後の図である。
【符号の説明】
【００３３】
１  組立式便器
１Ａ  段ボールシート
２  側壁帯
３  便座板
４  左便座フラップ
５  右便座フラップ
６  前側壁板
７  左側壁板
８  後側壁板
９  右側壁板
１６、１９、２７、４０  固定孔
３８  開口部
３９  挿入部
Ｂ  汚物用袋
【図１】
2008086430.tif 000003
【図２】
2008086430.tif 000004
【図３】
2008086430.tif 000005
【図４】
2008086430.tif 000006
【図５】
2008086430.tif 000007
【図６】
2008086430.tif 000008